(57)【特許請求の範囲】
【請求項１】
カビ菌を含む燃料油とカビ菌を含む添加水と添加乳化剤とを混合および攪拌してエマルジョン燃料を製造するためのエマルジョン燃料製造装置（１）であって、
燃料油配管（１３）を介して供給される前記燃料油と添加水配管（２４）を介して供給される前記添加水と添加乳化剤配管（３４）を介して供給される前記添加乳化剤との混合液体を攪拌して前記エマルジョン燃料を生成するためのエマルジョン化装置（５０）と、
前記エマルジョン化装置で生成された前記エマルジョン燃料を濾過するための燃料濾過器（６０）と、
高周波のプラス型変調電磁場を発生するための酸化型変調電磁場発生装置（２）とを具備し、
前記燃料油配管および前記添加水配管に前記酸化型変調電磁場発生装置から高周波のプラス型変調電磁場を印加して、前記カビ菌によって前記エマルジョン燃料中に発生するカビによる前記燃料濾過器の目詰まりを防止する、
ことを特徴とする、エマルジョン燃料製造装置。
【請求項２】
前記酸化型変調電磁場発生装置が、燃料油配管コイル（２ａ）および添加水配管コイル（２ｂ）を備え、
前記燃料油配管コイルが、前記燃料油配管に巻き付けられており、
前記添加水配管コイルが、前記添加水配管に巻き付けられており、
前記酸化型変調電磁場発生装置が、高周波の方形波にサイン波を乗せた変調電磁場信号を前記燃料油配管コイルおよび前記添加水配管コイルに流して、前記高周波のプラス型変調電磁場を前記燃料油配管および前記添加水配管に印加する、
ことを特徴とする、請求項１記載のエマルジョン燃料製造装置。
【請求項３】
前記酸化型変調電磁場発生装置が、前記燃料油配管コイルおよび前記添加水配管コイルの代わりにエマルジョン燃料配管コイルを備え、
前記エマルジョン燃料配管コイルが、前記燃料油、前記添加水および前記添加乳化剤の混合液体を前記エマルジョン化装置に供給するためのエマルジョン燃料配管（４１）に巻き付けられており、
前記酸化型変調電磁場発生装置が、前記変調電磁場信号を前記エマルジョン燃料配管コイルに流して、前記高周波のプラス型変調電磁場を前記エマルジョン燃料配管に印加する、
ことを特徴とする、請求項２記載のエマルジョン燃料製造装置。
【請求項４】
前記エマルジョン燃料配管に、外部から流入される前記エマルジョン燃料の戻り燃料油を前記エマルジョン化装置に供給するための戻り油配管（７１）が接続されており、
前記エマルジョン燃料配管コイルが、前記エマルジョン燃料配管の前記戻り油配管との接続点よりも前記エマルジョン化装置側に巻き付けられている、
ことを特徴とする、請求項３記載のエマルジョン燃料製造装置。
【請求項５】
前記燃料油が、Ａ重油であり、
前記酸化型変調電磁場発生装置が、４万Ｈｚのプラス型変調電磁場を発生する、
ことを特徴とする、請求項１乃至４いずれかに記載のエマルジョン燃料製造装置。
【請求項６】
前記酸化型変調電磁場発生装置が、ウォーターウォッチャー（登録商標）が備える酸化（＋）型変調電磁場発生器であることを特徴とする、請求項１乃至５いずれかに記載のエマルジョン燃料製造装置。
【請求項７】
カビ菌を含む燃料油とカビ菌を含む添加水と添加乳化剤とを混合および攪拌してエマルジョン燃料を製造するためのエマルジョン燃料製造方法であって、
燃料油配管（１３）を介して供給される前記燃料油と添加水配管（２４）を介して供給される前記添加水と添加乳化剤配管（３４）を介して供給される前記添加乳化剤とを混合して混合液体を生成する第１の製造過程と、
前記混合液体をエマルジョン化装置（５０）で攪拌して前記エマルジョン燃料を生成する第２の製造過程と、
前記エマルジョン化装置で生成された前記エマルジョン燃料を燃料濾過器（６０）で濾過する第３の製造過程とを具備し、
酸化型変調電磁場発生装置（２）から前記燃料油配管および前記添加水配管に高周波のプラス型変調電磁場を印加して、前記カビ菌によって前記エマルジョン燃料中に発生するカビによる前記燃料濾過器の目詰まりを防止する、
ことを特徴とする、エマルジョン燃料製造方法。
【請求項８】
前記酸化型変調電磁場発生装置が、燃料油配管コイル（２ａ）および添加水配管コイル（２ｂ）を備え、
前記燃料油配管コイルが、前記燃料油配管に巻き付けられており、
前記添加水配管コイルが、前記添加水配管に巻き付けられており、
前記酸化型変調電磁場発生装置が、高周波の方形波にサイン波を乗せた変調電磁場信号を前記燃料油配管コイルおよび前記添加水配管コイルに流して、前記高周波のプラス型変調電磁場を前記燃料油配管および前記添加水配管に印加する、
ことを特徴とする、請求項７記載のエマルジョン燃料製造方法。
【請求項９】
前記酸化型変調電磁場発生装置が、前記燃料油配管コイルおよび前記添加水配管コイルの代わりにエマルジョン燃料配管コイルを備え、
前記エマルジョン燃料配管コイルが、前記燃料油、前記添加水および前記添加乳化剤の混合液体を前記エマルジョン化装置に供給するためのエマルジョン燃料配管（４１）に巻き付けられており、
前記変調電磁場信号を前記酸化型変調電磁場発生装置から前記エマルジョン燃料配管コイルに流して、前記高周波のプラス型変調電磁場を前記エマルジョン燃料配管に印加する、
ことを特徴とする、請求項８記載のエマルジョン燃料製造方法。
【請求項１０】
前記エマルジョン燃料配管に、外部から流入される前記エマルジョン燃料の戻り燃料油を前記エマルジョン化装置に供給するための戻り油配管（７１）が接続されており、
前記エマルジョン燃料配管コイルが、前記エマルジョン燃料配管の前記戻り油配管との接続点よりも前記エマルジョン化装置側に巻き付けられている、
ことを特徴とする、請求項９記載のエマルジョン燃料製造方法。
【請求項１１】
前記燃料油が、Ａ重油であり、
前記酸化型変調電磁場発生装置が、４万Ｈｚのプラス型変調電磁場を発生する、
ことを特徴とする、請求項７乃至１０いずれかに記載のエマルジョン燃料製造方法。
【請求項１２】
前記酸化型変調電磁場発生装置が、ウォーターウォッチャー（登録商標）が備える酸化（＋）型変調電磁場発生器であることを特徴とする、請求項７乃至１１いずれかに記載のエマルジョン燃料製造方法。
【発明の詳細な説明】
【技術分野】
【０００１】
本発明は、エマルジョン燃料製造過程においてエマルジョン燃料中に発生するカビによる燃料濾過器の目詰まりを防止するのに好適なエマルジョン燃料製造装置および方法に関する。
【背景技術】
【０００２】
近年、排気ガス中の窒素酸化物濃度（ＮＯｘ）を低下させるために、燃料油（重油、灯油、軽油および廃油など）に水および乳化剤（中和剤）を添加して乳化させたエマルジョン燃料が使用されている（たとえば、下記の特許文献１参照）。【０００３】
図５に、ディーゼルエンジン１２０にエマルジョン燃料を供給するための従来のエマルジョン燃料製造装置１１０を示す。
エマルジョン燃料製造装置１１０は、燃料油供給装置１１と、燃料油配管１３に取り付けられた流量計１２と、注水タンクユニット２０と、乳化剤タンクユニット３０と、エマルジョン燃料配管４１に取り付けられた混合液体供給ポンプ４０、エマルジョン化装置５０（ラインミキサー）および燃料濾過器６０とを具備する。【０００４】
ここで、注水タンクユニット２０は、軟水槽から供給される軟水（以下、「添加水」と称する。）を貯めるための注水タンク２１と、添加水配管２４に取り付けられた添加水供給ポンプ２２および添加水流量調整弁２３とを備える。【０００５】
乳化剤タンクユニット３０は、添加乳化剤が貯められた乳化剤タンク３１と、添加乳化剤配管３４に取り付けられた添加乳化剤供給ポンプ３２および添加乳化剤流量調整弁３３とを備える。【０００６】
添加水流量調整弁２３および添加乳化剤流量調整弁３３は、添加水配管２４および添加乳化剤配管３４を流れる添加水および添加乳化剤の流量を流量計１２によって測定された燃料油の流量に応じて調整することにより、水添加率および乳化剤添加率を所定の値に保つためのものである。
添加水供給ポンプ２２、添加水流量調整弁２３、添加乳化剤供給ポンプ３２および添加乳化剤流量調整弁３３は、外部から入力される起動／停止指令に応じて起動および停止する。【０００７】
燃料油管１３、添加水配管２４および添加乳化剤配管３４はエマルジョン燃料配管４１に接続されており、燃料供給装置１１からの燃料油と添加水流量調整弁２３によって流量が調整された添加水と添加乳化剤流量調整弁３３によって流量が調整された添加乳化剤とは混合されて混合液体供給ポンプ４０を介してエマルジョン化装置５０に供給される。
このとき、戻り油配管７１もエマルジョン燃料配管４１に接続されており、ディーゼルエンジン１２０からリターンチャンバー１３０を介してエマルジョン燃料製造装置１１０に戻される燃料戻り油も燃料油、添加水および添加乳化剤と混合されて混合液体供給ポンプ４０を介してエマルジョン化装置５０に供給される。【０００８】
エマルジョン化装置５０は、エマルジョン化装置５０を構成する配管内の入口側に設置されたガイドベーンと、ガイドベーンよりも出口側の配管内壁に設置された突起部（カレントカッター）とを備え、燃料油、添加水、添加乳化剤および燃料戻り油の混合液体の旋回流をガイドベーンによって発生したのち、突起部で混合液体を機械的に攪拌して燃料油を乳化することにより、エマルジョン燃料を生成する。【０００９】
燃料濾過器６０（自動逆洗濾器）は、図６（ａ）に示すように、中央部に集油管６３（集合管）を備える円筒状の本体６１内に、混合液体を外周面から取り込んで濾過材で濾過する２４本の円筒状のフィルター６２を設けたものである。
ここで、２４本のフィルター６２は、集油管６３を二重に取り巻くように、内側に８本および外側に１８本ほど配設されている。【００１０】
エマルジョン製造装置１１０を用いたエマルジョン燃料製造過程においては、燃料油や添加水にカビ菌（土壌菌）が含まれているとカビの発生が促進されるとともに、燃料油と添加水との混合物に熱が加わればカビが容易に発生する。【００１１】
燃料油としてＡ重油を用いた場合には、Ａ重油を強制的に加温する必要はないが、ディーゼルエンジン１２０からの燃料戻り油がリターンチャンバー１３０を介してエマルジョン製造装置１１０に戻される循環回路が形成されているため、ディーゼルエンジン１２０からの放熱によってＡ重油が若干加温された状態になる結果、エマルジョン燃料中にカビが発生し易い。
また、一般的にＢ重油は７０℃以上強制的に加温するともにＣ重油は１００℃以上に強制的に加温するため、燃料油としてＢ重油またはＣ重油を用いた場合には、Ａ重油を用いた場合よりもカビが発生し易い。【００１２】
エマルジョン燃料中に発生したカビは、微細に混じり合った燃料油と添加水との境界面において燃料油を養分として繁殖する。
また、エマルジョン燃料によっては、エマルジョン燃料同士が結合して大きな結合体（スカム）となって粘性を増して燃料油配管１３、添加水配管２４およびエマルジョン燃料配管４１の内壁や燃料濾過器６０の各フィルター６２の外周面に付着するため、付着した結合体にカビが発生して繁殖する。【００１３】
なお、下記の特許文献２には、被処理流体照射用のコイル部と、コイル部に周波数が時間的に変化する方形波の交流電流を流す還元（−）型変調電磁場発生器と、コイル部に周波数が時間的に変化する方形波にサイン波を乗せた交流電流を間欠的に流す酸化（＋）型変調電磁場発生器と、これらの２つの変調電磁場発生器とコイル部との間にこれらの２つの変調電磁場発生器のいずれかを作動させるための切替器とを備えた変調電磁場処理装置が開示されている。
また、このような変調電磁場処理装置として、エスケーエイ株式会社製のウォーターウォッチャー（登録商標）が製品化されている。
【先行技術文献】
【特許文献】
【００１４】
【特許文献１】特開２０１０−２２９９２２号公報
【特許文献２】特開２００５−２８８４３６号公報
【発明の概要】
【発明が解決しようとする課題】
【００１５】
しかしながら、従来のエマルジョン燃料製造装置１１０では、エマルジョン燃料中に発生したカビが各フィルター６２の外周面に付着すると燃料濾過器６０の目詰まり（各フィルター６２の目詰まり）が生じるため（図６（ｂ）参照）、エマルジョン燃料に防カビ剤（薬品）を添加して、カビの生育を抑制したり既に発生したカビに対して菌糸の発育を阻害して死滅させたりしているが、防カビ剤以外による解決策が要請されている。【００１６】
また、上記の特許文献２に開示された変調電磁場処理装置は、酸化（＋）型変調電磁場発生器と還元（−）型変調電磁場発生器とを併用して、これらを切り替えてコイル部で変調電磁場を発生させる装置による電磁場処理により、あらゆる被処理流体（被処理水）を用いる流路または貯留槽の壁面でのスケールの付着防止および除去、あらゆる流路または貯留槽の壁面の腐食防止、油含有排水の流路の詰まり防止、アンモニア含有水からのアンモニア臭の脱臭、被処理水の濾過用フィルターの目詰まり防止、被処理水流路または貯留槽の壁面への海生物付着防止などの効果が得られることは分かっているが（公報の段落００４９参照）、エマルジョン燃料中に発生したカビによる燃料濾過器の目詰まり防止にも有効であるか否かは不明であるという問題があった。【００１７】
本発明の目的は、防カビ剤を用いずにカビによる燃料濾過器の目詰まりを防止することができるエマルジョン燃料製造装置および方法を提供することにある。
【課題を解決するための手段】
【００１８】
本発明のエマルジョン燃料製造装置は、カビ菌を含む燃料油とカビ菌を含む添加水と添加乳化剤とを混合および攪拌してエマルジョン燃料を製造するためのエマルジョン燃料製造装置（１）であって、燃料油配管（１３）を介して供給される前記燃料油と添加水配管（２４）を介して供給される前記添加水と添加乳化剤配管（３４）を介して供給される前記添加乳化剤との混合液体を攪拌して前記エマルジョン燃料を生成するためのエマルジョン化装置（５０）と、前記エマルジョン化装置で生成された前記エマルジョン燃料を濾過するための燃料濾過器（６０）と、高周波のプラス型変調電磁場を発生するための酸化型変調電磁場発生装置（２）とを具備し、前記燃料油配管および前記添加水配管に前記酸化型変調電磁場発生装置から高周波のプラス型変調電磁場を印加して、前記カビ菌によって前記エマルジョン燃料中に発生するカビによる前記燃料濾過器の目詰まりを防止することを特徴とする。
ここで、前記酸化型変調電磁場発生装置が、燃料油配管コイル（２ａ）および添加水配管コイル（２ｂ）を備え、前記燃料油配管コイルが、前記燃料油配管に巻き付けられており、前記添加水配管コイルが、前記添加水配管に巻き付けられており、前記酸化型変調電磁場発生装置が、高周波の方形波にサイン波を乗せた変調電磁場信号を前記燃料油配管コイルおよび前記添加水配管コイルに流して、前記高周波のプラス型変調電磁場を前記燃料油配管および前記添加水配管に印加してもよい。
前記酸化型変調電磁場発生装置が、前記燃料油配管コイルおよび前記添加水配管コイルの代わりにエマルジョン燃料配管コイルを備え、前記エマルジョン燃料配管コイルが、前記燃料油、前記添加水および前記添加乳化剤の混合液体を前記エマルジョン化装置に供給するためのエマルジョン燃料配管（４１）に巻き付けられており、前記酸化型変調電磁場発生装置が、前記変調電磁場信号を前記エマルジョン燃料配管コイルに流して、前記高周波のプラス型変調電磁場を前記エマルジョン燃料配管に印加してもよい。
前記エマルジョン燃料配管に、外部から流入される前記エマルジョン燃料の戻り燃料油を前記エマルジョン化装置に供給するための戻り油配管（７１）が接続されており、前記エマルジョン燃料配管コイルが、前記エマルジョン燃料配管の前記戻り油配管との接続点よりも下流側に巻き付けられていてもよい。
前記燃料油が、Ａ重油であり、前記酸化型変調電磁場発生装置が、４万Ｈｚのプラス型変調電磁場を発生してもよい。
前記酸化型変調電磁場発生装置が、ウォーターウォッチャー（登録商標）が備える酸化（＋）型変調電磁場発生器であってもよい。
本発明のエマルジョン燃料製造方法は、カビ菌を含む燃料油とカビ菌を含む添加水と添加乳化剤とを混合および攪拌してエマルジョン燃料を製造するためのエマルジョン燃料製造方法であって、燃料油配管（１３）を介して供給される前記燃料油と添加水配管（２４）を介して供給される前記添加水と添加乳化剤配管（３４）を介して供給される前記添加乳化剤とを混合して混合液体を生成する第１の製造過程と、前記混合液体をエマルジョン化装置（５０）で攪拌して前記エマルジョン燃料を生成する第２の製造過程と、前記エマルジョン化装置で生成された前記エマルジョン燃料を燃料濾過器（６０）で濾過する第３の製造過程とを具備し、酸化型変調電磁場発生装置（２）から前記燃料油配管および前記添加水配管に高周波のプラス型変調電磁場を印加して、前記カビ菌によって前記エマルジョン燃料中に発生するカビによる前記燃料濾過器の目詰まりを防止することを特徴とする。
ここで、前記酸化型変調電磁場発生装置が、燃料油配管コイル（２ａ）および添加水配管コイル（２ｂ）を備え、前記燃料油配管コイルが、前記燃料油配管に巻き付けられており、前記添加水配管コイルが、前記添加水配管に巻き付けられており、前記酸化型変調電磁場発生装置が、高周波の方形波にサイン波を乗せた変調電磁場信号を前記燃料油配管コイルおよび前記添加水配管コイルに流して、前記高周波のプラス型変調電磁場を前記燃料油配管および前記添加水配管に印加してもよい。
前記酸化型変調電磁場発生装置が、前記燃料油配管コイルおよび前記添加水配管コイルの代わりにエマルジョン燃料配管コイルを備え、前記エマルジョン燃料配管コイルが、前記燃料油、前記添加水および前記添加乳化剤の混合液体を前記エマルジョン化装置に供給するためのエマルジョン燃料配管（４１）に巻き付けられており、前記変調電磁場信号を前記酸化型変調電磁場発生装置から前記エマルジョン燃料配管コイルに流して、前記高周波のプラス型変調電磁場を前記エマルジョン燃料配管に印加してもよい。
前記エマルジョン燃料配管に、外部から流入される前記エマルジョン燃料の戻り燃料油を前記エマルジョン化装置に供給するための戻り油配管（７１）が接続されており、前記エマルジョン燃料配管コイルが、前記エマルジョン燃料配管の前記戻り油配管との接続点よりも前記エマルジョン化装置側に巻き付けられていてもよい。
前記燃料油が、Ａ重油であり、前記酸化型変調電磁場発生装置が、４万Ｈｚのプラス型変調電磁場を発生してもよい。
前記酸化型変調電磁場発生装置が、ウォーターウォッチャー（登録商標）が備える酸化（＋）型変調電磁場発生器であってもよい。
【発明の効果】
【００１９】
本発明のエマルジョン燃料製造装置および方法は、以下に示す効果を奏する。
（１）防カビ剤を用いずにカビによる燃料濾過器の目詰まりを防止することができる。
（２）カビによる燃料濾過器のトラブルをなくせるため、設備信頼度の向上を図ることができるとともに、供給信頼度の向上も図ることができる。
（３）燃料濾過器の清掃作業をなくしたり、防カビ剤を添加する必要をなくしたりできるため、コストの低減を図ることができる。
【図面の簡単な説明】
【００２０】
【図１】本発明の一実施例によるエマルジョン燃料製造装置１０の構成を示す図である。
【図２】図１に示したエマルジョン燃料製造装置１０の効果を確かめるための実験結果について説明するための図であり、（ａ）は通常時のエマルジョン燃料の安定性を示す図であり、（ｂ）は実験に使用したエマルジョン燃料の安定性を示す図である。
【図３】図１に示したエマルジョン燃料製造装置１０の効果確認実験の結果を示す図であり、（ａ）〜（ｈ）は変調電磁場印加直後、１５分後、３０分後、４５分後、６０分後、７５分後、９０分後および１０５分後にサンプリングしたエマルジョン燃料の状態を示す図である。
【図４】燃料油配管１３および添加水配管２４に印加する高周波の変調電磁場の極性の組合せを変えた比較実験の結果について説明するための図であり、（ａ）〜（ｃ）は比較実験１〜３の結果を示す図である。
【図５】従来のエマルジョン燃料製造装置１１０の構成を示す図である。
【図６】カビによる燃料濾過器６０の目詰まりについて説明するための図であり、（ａ）は燃料濾過器６０の構成について説明するための図であり、（ｂ）は燃料濾過器６０のフィルタ６２の外周面にカビが付着した状態を示す図である。
【発明を実施するための形態】
【００２１】
上記の目的を、燃料油配管および添加水配管に酸化型変調電磁場発生装置から高周波のプラス型変調電磁場を印加することにより実現した。
【実施例１】
【００２２】
以下、本発明のエマルジョン燃料製造装置および方法の実施例について図面を参照して説明する。
本発明の一実施例によるエマルジョン燃料製造装置１は、図１に示すように、燃料油配管コイル２ａおよび添加水配管コイル２ｂを備えた酸化型変調電磁場発生装置２を具備し、燃料油配管コイル２ａを燃料油配管１３の流量計１２よりも下流側部分（混合液体供給ポンプ４０側部分）に巻き付けるとともに、添加水配管コイル２ｂを添加水配管２４の下流側部分（混合液体供給ポンプ４０側部分）に巻き付けている点で、図５に示した従来のエマルジョン燃料製造装置１１０と異なる。【００２３】
ここで、酸化型変調電磁場発生装置２は、高周波（たとえば、４万Ｈｚ）の方形波にサイン波を乗せた変調電磁場信号を連続的または間欠的に燃料油配管コイル２ａおよび添加水配管コイル２ｂに流して、高周波の変調電磁場（以下、「プラス型変調電磁場」と称する。）を燃料油配管１３および添加水配管２４に連続的または間欠的に印加するためのものであり、ウォーターウォッチャーが備える酸化（＋）型変調電磁場発生器と同様の構成を有する（たとえば、発信器（ＯＳＣ）からの信号を任意の周波数の信号に変換するための分周器と、分周器の出力信号が入力されて変調電磁場信号を生成するためのゼネレータと、ゼネレータの出力信号の電力を増幅するための電力増幅器とを備える。）。
したがって、酸化型変調電磁場発生装置２として、ウォーターウォッチャーが備える酸化（＋）型変調電磁場発生器を用いることができる。
燃料油配管コイル２ａと添加水配管コイル２ｂとは直列接続されている。【００２４】
エマルジョン燃料製造装置１では、燃料油供給装置１１からの燃料油は、注水タンク２１からの添加水、乳化剤タンク３１からの添加乳化剤およびディーゼルエンジン１２０からリターンチャンバー１３０を介して戻ってくる燃料戻り油と混合され、エマルジョン化装置５０でエマルジョン燃料にされたのち、燃料濾過器６０を介してディーゼルエンジン１２０に供給される。【００２５】
このとき、燃料油配管１３および添加水配管２４には、酸化型変調電磁場発生装置２から燃料油配管コイル２ａおよび添加水配管コイル２ｂを介してプラス型変調電磁場が印加される。【００２６】
次に、本実施例によるエマルジョン燃料製造装置１を用いることにより燃料濾過器６０の目詰まりを防止できることを確かめた実験結果について、図２（ａ），（ｂ）および図３（ａ）〜（ｈ）を参照して説明する。
なお、酸化型変調電磁場発生装置２としてウォーターウォッチャーが備える酸化（＋）型変調電磁場発生器を用いて、４万Ｈｚのプラス型変調電磁場を燃料油配管１３および添加水配管２４に連続的に印加した。
また、燃料油としてＡ重油を用い、燃料濾過器６０とディーゼルエンジン１２０とを接続するエマルジョン燃料配管４１の途中からエマルジョン燃料をプラス型変調電磁場印加直後から１５分毎にサンプリングして乳化状態を確認した。
さらに、通常時には水添加率＝２０％とするとともに燃料油と添加水とが良く混ざるように乳化剤添加率＝２％としているが、この場合にはＡ重油と添加水と添加乳化剤との混合液体は白濁色となり、時間が経っても分離せずに安定しているため（図２（ａ）参照）、乳化剤添加率＝１％としてサンプリング直後からＡ重油が添加水および添加乳化剤と分離するようにした（図２（ｂ）参照）。【００２７】
４万Ｈｚのプラス型変調電磁場の印加直後にサンプリングしたエマルジョン燃料では、図３（ａ）に示すようにＡ重油（燃料油）が添加水および添加乳化剤から分離した。
同様に、４万Ｈｚのプラス型変調電磁場の印加から１５分後、３０分後および４５分後にそれぞれサンプリングしたエマルジョン燃料でも、図３（ｂ）〜（ｄ）に示すようにＡ重油（燃料油）が添加水および添加乳化剤から分離した。【００２８】
しかしながら、４万Ｈｚのプラス型変調電磁場の印加から６０分後、７５分後および９０分後にそれぞれサンプリングしたエマルジョン燃料では、図３（ｅ）〜（ｇ）に示すようにＡ重油（燃料油）が添加水および添加乳化剤から分離せずに、色相が灰色に変化した。
この理由としては、燃料油配管１３および添加水配管２４への４万Ｈｚのプラス型変調電磁場の印加により燃料油と添加水とがプラス電位に荷電させられて振動し、燃料油配管１３、添加水配管２４およびエマルジョン燃料配管４１や燃料濾過器６０の各フィルター６２に付着したカビが剥離してエマルジョン燃料中に混入したためと、燃料油配管１３およびエマルジョン燃料配管４１の内壁や燃料濾過器６０の各フィルター６２への結合体（スカム）の付着を防止するとともにエマルジョン燃料同士の反発作用も働かせて結合体自体の成長を防止したためと思われる。【００２９】
４万Ｈｚのプラス型変調電磁場の印加から１０５分後にサンプリングしたエマルジョン燃料では、図３（ｈ）に示すようにＡ重油（燃料油）が添加水および添加乳化剤から分離した。
この理由としては、燃料油配管１３、添加水配管２４およびエマルジョン燃料配管４１の内壁や燃料濾過器６０のフィルター６２に付着したカビがなくなって、エマルジョン燃料中へのカビの混入がなくなったためと思われる。【００３０】
次に、酸化型変調電磁場発生装置２の代わりにウォーターウォッチャーを用いて燃料油配管１３および添加水配管２４に印加する変調電磁場の極性の組合せを変えたときの比較実験結果について、図４（ａ）〜（ｃ）を参照して説明する。
なお、この比較実験では、燃料油配管コイル２ａおよび添加水配管コイル２ｂは、直列接続せずに、燃料油配管１３および添加水配管２４にそれぞれ取り付けた。【００３１】
（比較実験１）
ウォーターウォッチャーが備える還元型（−）変調電磁場発生器に燃料油配管コイル２ａを接続して４万Ｈｚの変調電磁場（４万Ｈｚを中心として周波数が時間的に変化する方形波の変調電磁場信号を連続的または間欠的にコイルに流して生成される変調電磁場。以下、「マイナス型変調電磁場」と称する。）を燃料油配管１３に印加するとともに、ウォーターウォッチャーが備える酸化型（＋）変調電磁場発生器に添加水配管コイル２ｂを接続して４万Ｈｚのプラス型変調電磁場を添加水配管２４に印加した場合には、印加直後から１０５分後までサンプリングしたエマルジョン燃料のすべてにおいて、Ａ重油（燃料油）が添加水および添加乳化剤から分離した（図４（ａ）参照）。【００３２】
（比較実験２）
ウォーターウォッチャーが備える還元型（−）変調電磁場発生器に燃料油配管コイル２ａおよび添加水配管コイル２ｂを接続して４万Ｈｚのマイナス型変調電磁場を燃料油配管１３および添加水配管２４に印加した場合にも、印加直後から１０５分後までサンプリングしたエマルジョン燃料のすべてにおいて、Ａ重油（燃料油）が添加水および添加乳化剤から分離した（図４（ｂ）参照）。【００３３】
（比較実験３）
ウォーターウォッチャーが備える酸化型（＋）変調電磁場発生器に燃料油配管コイル２ａを接続して４万Ｈｚのプラス型変調電磁場を燃料油配管１３に印加するとともにウォーターウォッチャーが備える還元型（−）変調電磁場発生器に添加水配管コイル２ｂを接続して４万Ｈｚのマイナス型変調電磁場を添加水配管コイル２ｂに印加した場合にも、印加直後から１０５分後までサンプリングしたエマルジョン燃料のすべてにおいて、Ａ重油（燃料油）が添加水および添加乳化剤から分離した（図４（ｃ）参照）。【００３４】
なお、以上の説明では、燃料油配管コイル２ａおよび添加水配管コイル２ｂを備えた酸化型変調電磁場発生装置２を用いて燃料油配管１３の流量計１２よりも下流側に巻き付けるとともに添加水配管コイル２ｂを添加水配管２４の下流側に巻き付けたが、燃料油配管コイル２ａおよび添加水配管コイル２ｂの代わりに１つのエマルジョン燃料配管コイルを備えた酸化型変調電磁場発生装置（酸化型変調電磁場発生装置２と同様の構成のもの）を用いて、エマルジョン燃料配管コイルをエマルジョン燃料配管４１の戻り油配管７１との接続箇所よりも上流側（流量計１２側）に取り付けて、この酸化型変調電磁場発生装置からエマルジョン燃料配管４１にプラス型変調電磁場を印加しても、エマルジョン燃料配管４１の内壁および燃料濾過器６０に付着したカビを剥離することができるため、同様の効果が得られる。【００３５】
同様に、この酸化型変調電磁場発生装置のエマルジョン燃料配管コイルをエマルジョン燃料配管４１の戻り油配管７１との接続箇所よりも下流側（混合液体供給ポンプ４０側）に取り付けて、この酸化型変調電磁場発生装置からエマルジョン燃料配管４１にプラス型変調電磁場を印加しても、エマルジョン燃料配管４１の内壁および燃料濾過器６０に付着したカビを剥離することができるため、同様の効果が得られる。【００３６】
また、酸化型変調電磁場発生装置２から燃料油配管１３および添加水配管２４にプラス型変調電磁場を常時印加してもよいし、カビは一度除去すると燃料濾過器６０の各フィルター６２に付着して目詰まりを生じさせるのに時間を要するため、たとえばエマルジョン燃料製造装置１の定期点検時などにのみ酸化型変調電磁場発生装置２から燃料油配管１３および添加水配管２４にプラス型変調電磁場を印加するようにしてもよい。
【符号の説明】
【００３７】
１，１１０  エマルジョン燃料製造装置
２  酸化型変調電磁場発生装置
２ａ  燃料油配管コイル
２ｂ  添加水配管コイル
１１  燃料油供給装置
１２  流量計
１３  燃料油配管
２０  注水タンクユニット
２１  注水タンク
２２  添加水供給ポンプ
２３  添加水流量調整弁
２４  添加水配管
３０  乳化剤タンクユニット
３１  乳化剤タンク
３２  添加乳化剤供給ポンプ
３３  添加乳化剤流量調整弁
３４  添加乳化剤配管
４０  混合液体供給ポンプ
４１  エマルジョン燃料配管
５０  エマルジョン化装置
６０  燃料濾過器
６１  本体
６２  フィルター
６３  集油管
７１  戻り油配管
１２０  ディーゼルエンジン
１３０  リターンチャンバー
【要約】
防カビ剤を用いずにカビによる燃料濾過器の目詰まりを防止することができるエマルジョン燃料製造装置および方法を提供する。エマルジョン燃料製造装置１は、燃料油配管１３を介して供給される燃料油と添加水配管２４を介して供給される添加水と添加乳化剤配管３４を介して供給される添加乳化剤との混合液体を攪拌してエマルジョン燃料を生成するためのエマルジョン化装置５０と、エマルジョン化装置５０で生成されたエマルジョン燃料を濾過するための燃料濾過器６０と、高周波のプラス型変調電磁場を発生するための酸化型変調電磁場発生装置２とを具備し、燃料油配管１３および添加水配管２４に酸化型変調電磁場発生装置２から高周波のプラス型変調電磁場を印加して、燃料油および添加水に含まれるカビ菌によってエマルジョン燃料中に発生するカビによる燃料濾過器６０の目詰まりを防止する。【図１】
0006039865.tif 000002
【図２】
0006039865.tif 000003
【図３】
0006039865.tif 000004
【図４】
0006039865.tif 000005
【図５】
0006039865.tif 000006
【図６】
0006039865.tif 000007